(57)【要約】【課題】各々がドライブを搭載する複数の電子機器のリソースの有効活用を図り、かつ、利便性を向上させることを実現したコンテンツ再生システムを提供する。【解決手段】実施形態によれば、コンテンツ再生システムは、第１のドライブを具備する第１の電子機器と、第２のドライブを具備する第２の電子機器とが接続される。第１の電子機器は、第１のドライブによって記憶媒体から読み出されたコンテンツを第２の電子機器に転送するコンテンツ転送手段を具備する。第２の電子機器は、第２のドライブによって記憶媒体から読み出されたコンテンツを再生するためのコンテンツ再生手段を用いて、第２の電子機器から転送されたコンテンツを再生するリモートコンテンツ再生手段を具備する。【選択図】図２
2014007704.tif 000002
【特許請求の範囲】
【請求項１】
第１のドライブを具備する第１の電子機器と、第２のドライブを具備する第２の電子機器とが接続されるコンテンツ再生システムであって、
前記第１の電子機器は、前記第１のドライブによって記憶媒体から読み出されたコンテンツを前記第２の電子機器に転送するコンテンツ転送手段を具備し、
前記第２の電子機器は、前記第２のドライブによって記憶媒体から読み出されたコンテンツを再生するためのコンテンツ再生手段を用いて、前記第２の電子機器から転送されたコンテンツを再生するリモートコンテンツ再生手段を具備する、
コンテンツ再生システム。
【請求項２】
前記第１の電子機器は、入力装置からの入力データを前記コンテンツ再生手段の操作コードに変換して前記第２の電子機器に転送する操作コード転送手段を具備する請求項１に記載のコンテンツ再生システム。
【請求項３】
前記第２の電子機器は、
コンテンツの再生に関する指示を受け付けるユーザインタフェース手段と、
前記ユーザインタフェース手段により前記第１のドライブ内の記憶媒体に記憶されたコンテンツの再生指示が受け付けられた場合、前記第１の電子機器に対して、前記コンテンツ転送手段によるコンテンツの転送を要求するリモートアクセス手段と、
を具備する請求項１に記載のコンテンツ再生システム。
【請求項４】
記憶媒体に記憶されたコンテンツを読み出し可能なドライブと、
前記ドライブによって前記記憶媒体から読み出された前記コンテンツを再生するためのコンテンツ再生手段と、
通信手段と、
前記コンテンツ再生手段を用いて、前記通信手段により受信されたコンテンツを再生するリモートコンテンツ再生手段と、
を具備する電子機器。
【請求項５】
前記通信手段により受信された前記コンテンツ再生手段の操作コードを前記コンテンツ再生手段に供給する操作コード受信手段を具備する請求項４に記載の電子機器。
【請求項６】
コンテンツの再生に関する指示を受け付けるユーザインタフェース手段と、
前記ユーザインタフェース手段により前記通信手段が通信する他の電子機器が具備するドライブ内の記憶媒体に記憶されたコンテンツの再生指示が受け付けられた場合、前記他の電子機器に対して、前記他の電子機器が具備するドライブ内の記憶媒体に記憶されたコンテンツの転送を要求するリモートアクセス手段と、
を具備する電子機器。
【請求項７】
第１のドライブを具備する第１の電子機器と、第２のドライブを具備する第２の電子機器とが接続されるコンテンツ再生システムのコンテンツ再生方法であって、
前記第１の電子機器は、前記第１のドライブによって記憶媒体から読み出されたコンテンツを前記第２の電子機器に転送し、
前記第２の電子機器は、前記第２のドライブによって記憶媒体から読み出されたコンテンツを再生するためのコンテンツ再生手段を用いて、前記第２の電子機器から転送されたコンテンツを再生する、
コンテンツ再生方法。
【請求項８】
前記第１の電子機器は、入力装置からの入力データを前記コンテンツ再生手段の操作コードに変換して前記第２の電子機器に転送する請求項７に記載のコンテンツ再生方法。
【請求項９】
前記第２の電子機器は、
コンテンツの再生に関する指示を受け付け、
前記第１のドライブ内の記憶媒体に記憶されたコンテンツの再生指示が受け付けられた場合、前記第１の電子機器に対して、前記コンテンツの転送を要求する、
請求項７に記載のコンテンツ再生方法。
【発明の詳細な説明】
【技術分野】
【０００１】
本発明の実施形態は、例えばBlu-ray Disc（以下、ＢＤと称する。）やＤＶＤ（Digital versatile disc）等の可搬型の記憶媒体に記憶されたコンテンツを再生するコンテンツ再生システム、電子機器およびコンテンツ再生方法に関する。
【背景技術】
【０００２】
近年、ノートＰＣ（Personal computer）等のバッテリ駆動可能で携行容易な電子機器が広く普及している。この種の電子機器の中には、ＢＤやＤＶＤに対するデータの書き込み／読み出しを実行するためのドライブ（ＢＤ／ＤＶＤドライブ）を搭載し、かつ、このドライブによってＢＤやＤＶＤから読み出されたコンテンツを再生可能なＡＶ（Audio and visual）機能を有するものも存在する。
【０００３】
また、最近では、ホームサーバなどと称される高性能のコンピュータでテレビジョン放送番組データ等のコンテンツを一元的に管理し、どの部屋のテレビジョン受像機やＰＣからでも、コンテンツの再生をホームサーバに要求して、当該コンテンツを鑑賞することのできるホームネットワークを敷設する家庭も増えてきている。
【先行技術文献】
【特許文献】
【０００４】
【特許文献１】特開２００７−１５９１３７号公報
【発明の概要】
【発明が解決しようとする課題】
【０００５】
ところで、ＢＤやＤＶＤに記憶されたコンテンツを観賞する上で不便な点は、ＢＤやＤＶＤをＢＤ／ＤＶＤドライブにセットしなくてはならない点にある。例えば（ＢＤ／ＤＶＤドライブを搭載する）テレビジョン受像機の場合、通常、リモートコントローラで遠隔操作することが可能であるので、この点からも、ＢＤ／ＤＶＤドライブへのＢＤやＤＶＤのセットは、ユーザにとって煩わしい作業であると言える。
【０００６】
一方、前述したように、ノートＰＣ等のバッテリ駆動可能で携行容易な電子機器の中には、ＢＤ／ＤＶＤドライブを搭載するものも存在するが、映像や音楽を高品質で楽しむことのできるハイグレードモデルの電子機器を除くと、ＢＤやＤＶＤに記憶されたコンテンツを観賞する目的での使用頻度は、それ程高くないのが実情である。
【０００７】
本発明は、各々がドライブを搭載する複数の電子機器のリソースの有効活用を図り、かつ、利便性を向上させることを実現したコンテンツ再生システム、電子機器およびコンテンツ再生方法を提供することを目的とする。
【課題を解決するための手段】
【０００８】
実施形態によれば、コンテンツ再生システムは、第１のドライブを具備する第１の電子機器と、第２のドライブを具備する第２の電子機器とが接続される。第１の電子機器は、第１のドライブによって記憶媒体から読み出されたコンテンツを第２の電子機器に転送するコンテンツ転送手段を具備する。第２の電子機器は、第２のドライブによって記憶媒体から読み出されたコンテンツを再生するためのコンテンツ再生手段を用いて、第２の電子機器から転送されたコンテンツを再生するリモートコンテンツ再生手段を具備する。
【図面の簡単な説明】
【０００９】
【図１】第１実施形態のコンテンツ再生システムの一構成例を示す図。
【図２】第１実施形態のコンテンツ再生システムの機能ブロックを示す図。
【図３】第１実施形態のコンテンツ再生システムのＰＣ側における動作手順を示すフローチャート。
【図４】第１実施形態のコンテンツ再生システムのＴＶ装置側における動作手順を示すフローチャート。
【図５】第２実施形態のコンテンツ再生システムの一構成例を示す図。
【図６】第２実施形態のコンテンツ再生システムの機能ブロックを示す図。
【図７】第２実施形態のコンテンツ再生システムのＴＶ装置側における動作手順を示すフローチャート。
【発明を実施するための形態】
【００１０】
以下、実施の形態について図面を参照して説明する。
【００１１】
（第１実施形態）
まず、第１実施形態について説明する。
【００１２】
図１は、本実施形態のコンテンツ再生システムの一構成例を示す図である。
【００１３】
図１に示すように、本実施形態のコンテンツ再生システムは、テレビジョン（ＴＶ）装置）１とＰＣ２とによって構成される。ＴＶ装置１およびＰＣ２は、ＢＤ／ＤＶＤドライブ（１１，２１）をそれぞれが搭載しており、また、ＢＤやＤＶＤから読み出されたコンテンツを再生する機能をそれぞれが搭載している。即ち、ＴＶ装置１およびＰＣ２は、いずれもＢＤ／ＤＶＤプレーヤとして動作することができる。従って、ユーザは、ＢＤやＤＶＤに記憶されたコンテンツをＴＶ装置１で観賞することもできるし、ＰＣ２で観賞することもできる。さらに、ＴＶ装置１およびＰＣ２は、無線通信機能をそれぞれが搭載しており、当事者間で各種データを送受信することができる。
【００１４】
いま、ＰＣ２は、バッテリ駆動可能で携行容易なノートＰＣであり、ユーザの近くに置かれているものとする。一方、ＴＶ装置１は、大画面の表示装置を有するテレビジョン受像機であり、ユーザからやや離れた場所に置かれているものとする。
【００１５】
この状況下において、ユーザが、ＰＣ２のＢＤ／ＤＶＤドライブ２１にセットされたＢＤ内のコンテンツをＴＶ装置１の大画面で観賞したいと考えたとする。この場合、ユーザは、そのＢＤをＰＣ２のＢＤ／ＤＶＤドライブ２１から抜き取り、やや離れた場所に置かれているＴＶ装置１のＢＤ／ＤＶＤドライブ１１に改めてセットしなければならない。
【００１６】
また、ユーザが、手元にあるＢＤ内のコンテンツをＴＶ装置１の大画面で観賞したいと考えた場合も、近くに置かれているＰＣ２のＢＤ／ＤＶＤドライブ２１ではなく、やや離れた場所に置かれているＴＶ装置１のＢＤ／ＤＶＤドライブ１１にＢＤをセットすることが必要となる。
【００１７】
そこで、本実施形態のコンテンツ再生システムは、ＢＤやＤＶＤ内のコンテンツの読み出しをＰＣ２側のＢＤ／ＤＶＤドライブ２１によって行い、読み出されたコンテンツの再生をＴＶ装置１側の（本来はＢＤ／ＤＶＤドライブ１１によって読み出されたコンテンツを再生するための）再生機能を活用して行う仕組みを備えたものであり、以下、この点について詳述する。
【００１８】
図２は、本実施形態のコンテンツ再生システムの機能ブロックを示す図である。
【００１９】
図２に示すように、ＰＣ２上では、ＢＤ／ＤＶＤリモート再生アプリケーション２００が動作する。ＢＤ／ＤＶＤリモート再生アプリケーション２００は、ＢＤ／ＤＶＤドライブ２１にセットされたＢＤやＤＶＤ内のコンテンツをＴＶ装置１で観賞するためのプログラムであって、例えばＨＤＤ（Hard disk drive）から主メモリにロードされてＣＰＵによって実行されるソフトウェアである。なお、ＢＤ／ＤＶＤリモート再生アプリケーション２００は、ＢＤ／ＤＶＤドライブ２１にセットされたＢＤやＤＶＤ内のコンテンツをＰＣ２で観賞するためのソフトウェアとは別に設けてもよいし、また、このソフトウェアの１サブモジュールとして設けてもよい。
【００２０】
ＢＤ／ＤＶＤリモート再生アプリケーション２００は、データ読み込み部２０１、キー操作変換部２０２およびデータ転送部２０３を有している。データ読み込み部２０１は、ＢＤ／ＤＶＤドライブ２１を介してＢＤやＤＶＤ内のコンテンツを取り込み、また、キーボード（ポインティングデバイス）２２を介してコンテンツの再生に関するユーザの指示を取り込むモジュールである。
【００２１】
コンテンツの再生に関するユーザの指示は、キーボード２２からの入力データとしてデータ読み込み部２０１に取り込まれる。キー操作変換部２０２は、この入力データをＴＶ装置１側の後述するＢＤ／ＤＶＤプレーヤ１２に操作指示を与えるための操作コードに変換するモジュールである。
【００２２】
データ転送部２０３は、データ読み込み部２０１によって取り込まれたコンテンツまたはキー操作変換部２０２によって生成された操作コードを（ＰＣ２が搭載する無線通信機能により）ＴＶ装置１に転送するモジュールである。
【００２３】
一方、ＴＶ装置１は、ＢＤ／ＤＶＤプレーヤ１２およびＢＤ／ＤＶＤリモート再生モジュール１３を有している。ＢＤ／ＤＶＤプレーヤ１２は、ＢＤ／ＤＶＤドライブ１１にセットされたＢＤやＤＶＤ内のコンテンツを再生するためのモジュールであり、ＢＤ／ＤＶＤリモート再生モジュール１３は、（本来はＢＤ／ＤＶＤドライブ１１にセットされたＢＤやＤＶＤ内のコンテンツを再生するための）ＢＤ／ＤＶＤプレーヤ１２を活用して、ＰＣ２から転送されたコンテンツを再生するためのモジュールである。
【００２４】
ＢＤ／ＤＶＤプレーヤ１２は、データ読み込み部１２１、ソース入力部１２２、デコーダ１２３およびレンダラ１２４を有している。
【００２５】
データ読み込み部１２１は、ＢＤ／ＤＶＤドライブ１１を介してＢＤやＤＶＤ内のコンテンツを取り込むモジュールである。なお、データ読み込み部１２１は、コンテンツの再生に関してユーザがＴＶ装置１上で行った指示を取り込む機能も有している。
【００２６】
ソース入力部１２２は、データ読み込み部１２１またはＢＤ／ＤＶＤリモート再生モジュール１３のいずれかからコンテンツを受け取ってデコーダ１２３に供給するモジュールである。デコーダ１２３は、ソース入力部１２２から供給されるコンテンツをデコードするモジュールである。レンダラ１２４は、デコーダ１２３によってデコードされたコンテンツの画像を描画して表示するモジュールである。
【００２７】
ＢＤ／ＤＶＤリモート再生アプリケーション２００は、起動されると、リモートＢＤ／ＤＶＤプレーヤとして予め登録されたＴＶ装置１との接続処理を実行する。ＴＶ装置１と接続されたら、ＢＤ／ＤＶＤリモート再生アプリケーション２００は、ＢＤ／ＤＶＤドライブ２１によるコンテンツの読み出し処理を開始する。以降、ＢＤ／ＤＶＤリモート再生アプリケーション２００は、ＴＶ装置１側と連携しながら、コンテンツの読み出し処理を実行する。具体的には、ＴＶ装置１のＢＤ／ＤＶＤリモート再生モジュール１３は、ＰＣ２から転送されるコンテンツを一時的にバッファに蓄積しながらＢＤ／ＤＶＤプレーヤ１２に供給する。ＢＤ／ＤＶＤリモート再生モジュール１３は、このバッファに蓄積されるコンテンツの量が適切な範囲に収まるように、コンテンツの転送を適宜にＰＣ２側に要求する。つまり、ＢＤ／ＤＶＤリモート再生アプリケーション２００は、ＴＶ装置１側からの要求に応じて、コンテンツの読み出し処理を実行する。
【００２８】
一方、ＢＤ／ＤＶＤプレーヤ１２は、ＴＶ装置１がＰＣ２と接続されると、コンテンツの供給源をＢＤ／ＤＶＤリモート再生モジュール１３に設定した上で、コンテンツの再生処理を開始する。これにより、ユーザは、例えば、ＢＤまたはＤＶＤを近くに置かれているＰＣ２のＢＤ／ＤＶＤドライブ２１にセットして、当該ＢＤまたはＤＶＤ内のコンテンツを、やや離れた場所に置かれたＴＶ装置１で観賞することが可能となる。
【００２９】
ＢＤ／ＤＶＤドライブ２１から読み出したコンテンツをＰＣ２側で再生し、再生されたコンテンツをＴＶ装置１側に転送する場合と異なり、ＴＶ装置１側のコンテンツ再生機構を活用することにより、コンテンツの再生を安定化させることができる。ＰＣ２は、その用途が様々であり、また、ＰＣ２のリソース管理を司るオペレーティングシステムは、マルチタスク機能を提供するため、コンテンツの再生と並行して、別のプログラムが動作する可能性がある。ＰＣ２側でコンテンツの再生を行うと、当該別のプログラムの負荷によっては、例えばフレームドロップが発生し、コンテンツ観賞の妨げとなってしまう。これに対して、本実施形態のコンテンツ再生システムでは、ＰＣ２側でのコンテンツの再生処理を不要として、フレームドロップの発生等を抑え、コンテンツを快適に観賞できるようにする。
【００３０】
また、ＰＣ２に搭載される表示装置が安価なものである場合、リフレッシュレートが適正値と異なることもあり得る。リフレッシュレートが正しくない場合、表示するタイミングがずれて、フレームドロップが発生し易くなる。本実施形態のコンテンツ再生システムでは、このような場合に、（ＰＣ２はコンテンツの読み出しのみに利用しつつ）ＴＶ装置１を使うことで、コンテンツを快適に観賞することが可能となる。さらに、このＰＣ２のＢＤ／ＤＶＤドライブ２１のＢＤやＤＶＤに記憶されたコンテンツを観賞する目的での使用頻度を高めることができる。
【００３１】
また、ＢＤ／ＤＶＤリモート再生アプリケーション２００は、コンテンツの再生に関する指示がキーボード２２から入力されると、ＢＤ／ＤＶＤプレーヤ１２の操作コードを生成して、ＴＶ装置１側に転送する。ＢＤ／ＤＶＤリモート再生モジュール１３は、ＰＣ２側から転送された操作コードをＢＤ／ＤＶＤプレーヤ１２に供給する。これにより、ユーザは、ＴＶ装置１でコンテンツを観賞する際に、近くに置かれたＰＣ２で各種操作を行うことが可能となる。
【００３２】
図３は、本実施形態のコンテンツ再生システムのＰＣ２側における動作手順を示すフローチャートである。
【００３３】
ＢＤ／ＤＶＤリモート再生アプリケーション２００は、起動されると、まず、予め登録されたリモートＢＤ／ＤＶＤプレーヤ（ここでは、ＴＶ装置１）と接続する（ブロックＡ１）。ＢＤ／ＤＶＤリモート再生アプリケーション２００は、入力デバイス（ここでは、キーボード２２）の操作が行われたか否かを調べ（ブロックＡ２）、行われていたら（ブロックＡ２のＹＥＳ）、入力デバイスからの入力データを予め登録されたリモートＢＤ／ＤＶＤプレーヤの操作コードに変換し（ブロックＡ３）、（ブロックＡ１で接続された）当該予め登録されたリモートＢＤ／ＤＶＤプレーヤに転送する（ブロックＡ４）。
【００３４】
入力デバイスの操作が行われていない場合（ブロックＡ２のＮＯ）、ＢＤ／ＤＶＤリモート再生アプリケーション２００は、接続しているリモートＢＤ／ＤＶＤプレーヤからデータ要求がなされているか否かを調べる（ブロックＡ５）。リモートＢＤ／ＤＶＤプレーヤからのデータ要求が届いていたら（ブロックＡ５のＹＥＳ）、ＢＤ／ＤＶＤリモート再生アプリケーション２００は、ＢＤ／ＤＶＤドライブ２１によるコンテンツの読み出しを実行し（ブロックＡ６）、読み出したコンテンツを接続しているリモートＢＤ／ＤＶＤプレーヤに転送する（ブロックＡ７）。
【００３５】
図４は、本実施形態のコンテンツ再生システムのＴＶ装置１側における動作手順を示すフローチャートである。
【００３６】
ＢＤ／ＤＶＤプレーヤ１２は、予め登録されたリモートＢＤ／ＤＶＤプレーヤ（ここでは、ＰＣ２）からの要求によりＴＶ装置１が当該リモートＢＤ／ＤＶＤプレーヤと接続されると（ブロックＢ１）、コンテンツの供給源をリモートに設定する（ブロックＢ２）。ＢＤ／ＤＶＤリモート再生モジュール１３は、リモートＢＤ／ＤＶＤプレーヤから操作コードが転送されていないかを調べ（ブロックＢ３）、転送されていれば（ブロックＢ３のＹＥＳ）、その操作コードをＢＤ／ＤＶＤプレーヤ１２に供給する。ＢＤ／ＤＶＤプレーヤ１２は、供給された操作コードに対応する処理を実行する（ブロックＢ４）。
【００３７】
操作コードが転送されていない場合、ＢＤ／ＤＶＤリモート再生モジュール１３は、バッファの状況からコンテンツが必要か否かを調べる（ブロックＢ５）。必要ならば（ブロックＢ５のＹＥＳ）、ＢＤ／ＤＶＤリモート再生モジュール１３は、データ要求をＰＣ２側に送信する（ブロックＢ６）。ＢＤ／ＤＶＤリモート再生モジュール１３は、ＰＣ２側から転送されたコンテンツをＢＤ／ＤＶＤプレーヤ１２に供給し、ＢＤ／ＤＶＤプレーヤ１２は、供給されたコンテンツを再生する。
【００３８】
以上のように、本実施形態のコンテンツ再生システムによれば、各々がドライブを搭載する複数の電子機器（ＴＶ装置１、ＰＣ２）のリソースの有効活用を図り、かつ、利便性を向上させることが実現される。
【００３９】
（第２実施形態）
次に、第２に実施形態について説明する。
【００４０】
図５は、本実施形態のコンテンツ再生システムの一構成例を示す図である。
【００４１】
前述した第１実施形態のコンテンツ再生システムでは、ＢＤ／ＤＶＤリモート再生アプリケーション２００がＰＣ２上で起動されると、ＰＣ２とＴＶ装置１とが接続され、ＰＣ２のＢＤ／ＤＶＤドライブ２１にセットされたＢＤまたはＤＶＤ内のコンテンツがＴＶ装置１で再生される。これに対して、本実施形態のコンテンツ再生システムは、ＴＶ装置１には遠隔操作用のリモートコントローラ１Ａが付属することが一般的であることを考慮して、ＴＶ装置１側での操作により、ＰＣ２のＢＤ／ＤＶＤドライブ２１にセットされたＢＤまたはＤＶＤ内のコンテンツをＴＶ装置１で再生できるようにする。
【００４２】
例えば、図５に示すように、ＴＶ装置１の周辺に、ＢＤ／ＤＶＤドライブ２１を搭載するＰＣ２が２台存在すると想定した場合、ＴＶ装置１は、自装置（ＴＶ装置１）に搭載されたＢＤ／ＤＶＤドライブ１１と、各ＰＣ２に搭載された２台のＢＤ／ＤＶＤドライブ２１との計３台のＢＤ／ＤＶＤドライブ（１１，２１）のうち、いずれを用いるのかをユーザが選択するためのインタフェースを提供する。
【００４３】
このインタフェースによってＰＣ２のＢＤ／ＤＶＤドライブ２１が選択されたら、ＴＶ装置１は、そのＢＤ／ＤＶＤドライブ２１を搭載するＰＣ２に対して、コンテンツの転送を要求する。つまり、本実施形態のコンテンツ再生システムでは、ユーザは、近くに置かれているＰＣ２のＢＤ／ＤＶＤドライブ２１にＢＤやＤＶＤをセットし、ＴＶ装置１のリモートコントローラ１Ａを使って、このＢＤ／ＤＶＤドライブ２１を選択する操作を行うことにより、そのＢＤやＤＶＤ内のコンテンツを（離れた場所に置かれている）ＴＶ装置１の大画面で観賞することができることになる。
【００４４】
もし、ＰＣ２に搭載される表示装置が安価なものであって、リフレッシュレートが正しくない場合であっても、コンテンツの再生はＴＶ装置１側で行われるので、コンテンツを快適に観賞することが可能となる。
【００４５】
図６は、本実施形態のコンテンツ再生システムの機能ブロックを示す図である。
【００４６】
図６に示すように、本実施形態のコンテンツ再生システムでは、ＴＶ装置１に搭載されるＢＤ／ＤＶＤプレーヤ１２が、コンテンツの再生に関するユーザの指示を受け付けるためのユーザインタフェース部１２５を有している。一方、ＰＣ２では、ＴＶ装置１によるＢＤ／ＤＶＤドライブ２１へのリモートアクセスを支援するためのＢＤ／ＤＶＤリモートアクセスユーティリティ２１０が動作する。ＢＤ／ＤＶＤリモートアクセスユーティリティ２１０は、例えばＨＤＤから主メモリにロードされてＣＰＵによって実行されるソフトウェアであり、常駐プログラムとして設定されている。
【００４７】
ＢＤ／ＤＶＤプレーヤ１２は、起動されると、周辺に存在するリモートＢＤ／ＤＶＤドライブの検索をＢＤ／ＤＶＤリモート再生モジュール１３に指示する。この指示を受けたＢＤ／ＤＶＤリモート再生モジュール１３は、リモートＢＤ／ＤＶＤプレーヤとして予め登録されたＰＣ２を検索し、検索結果をＢＤ／ＤＶＤプレーヤ１２に回答する。ＢＤ／ＤＶＤプレーヤ１２のユーザインタフェース部１２５は、ＴＶ装置１が搭載するＢＤ／ＤＶＤドライブ１１と、ＢＤ／ＤＶＤリモート再生モジュール１３によって検出されたＰＣ２のＢＤ／ＤＶＤドライブ２１とを選択肢としてユーザに提示する。
【００４８】
いま、ユーザは、近くに置かれているＰＣ２のＢＤ／ＤＶＤドライブ２１にＢＤまたはＤＶＤをセットして、このＢＤまたはＤＶＤ内のコンテンツをＴＶ装置１の大画面で観賞したいと考えているものとする。この場合、ユーザは、ユーザインタフェース部１２５によって選択肢として提示された複数のＢＤ／ＤＶＤドライブ（１１，２１）の中から、近くに置かれているＰＣ２のＢＤ／ＤＶＤドライブ２１を選択する。この指示は、例えばリモートコントローラ１Ａを使って行う。
【００４９】
この選択指示をユーザインタフェース部１２５によって受けたＢＤ／ＤＶＤプレーヤ１２は、ＢＤ／ＤＶＤリモート再生モジュール１３に対し、選択されたＢＤ／ＤＶＤドライブ２１を搭載するＰＣ２にコンテンツの転送を要求することを指示する。また、ＢＤ／ＤＶＤプレーヤ１２は、この時、コンテンツの供給源をＢＤ／ＤＶＤリモート再生モジュール１３とするようにソース入力部１２２を設定する。
【００５０】
一方、ＰＣ２上で動作するＢＤ／ＤＶＤリモートアクセスユーティリティ２１０は、この要求をデータ転送部２１２によって受け付け、データ読み込み部２１１によるＢＤ／ＤＶＤドライブ２１にセットされたＢＤまたはＤＶＤ内のコンテンツの読み出し処理を開始する。データ転送部２１２は、読み出されたコンテンツをＴＶ装置１に転送し、ＴＶ装置１のＢＤ／ＤＶＤリモート再生モジュール１３は、ＰＣ２から転送されたコンテンツをＢＤ／ＤＶＤプレーヤ１２に供給する。
【００５１】
図７は、本実施形態のコンテンツ再生システムのＴＶ装置１側における動作手順を示すフローチャートである。
【００５２】
ＢＤ／ＤＶＤプレーヤ１２は、起動されると、まず、リモートＢＤ／ＤＶＤドライブの検索をＢＤ／ＤＶＤリモート再生モジュール１３に指示する（ブロックＣ１）。この指示を受けたＢＤ／ＤＶＤリモート再生モジュール１３は、リモートＢＤ／ＤＶＤプレーヤとして予め登録されたＰＣ２を検索する。
【００５３】
ＢＤ／ＤＶＤプレーヤ１２は、ＴＶ装置１に搭載されたＢＤ／ＤＶＤドライブ１１とＢＤ／ＤＶＤリモート再生モジュール１３によって検出されたＰＣ２が搭載するＢＤ／ＤＶＤドライブ２１とを選択肢として提示し、いずれかのＢＤ／ＤＶＤドライブをユーザに選択させる（ブロックＣ２）。
【００５４】
そして、ＢＤ／ＤＶＤプレーヤ１２は、選択されたＢＤ／ＤＶＤドライブによるコンテンツの読み出し処理を開始し（ブロックＣ３）、当該読み出されたコンテンツの再生処理を実行する。ＴＶ装置１に搭載されたＢＤ／ＤＶＤドライブ１１以外のＢＤ／ＤＶＤドライブ２１が選択された場合、ＢＤ／ＤＶＤプレーヤ１２は、このＢＤ／ＤＶＤドライブ２１を搭載するＰＣ２にコンテンツ転送を要求することをＢＤ／ＤＶＤリモート再生モジュール１３に指示する。
【００５５】
このように、本実施形態のコンテンツ再生システムにおいても、各々がドライブを搭載する複数の電子機器（ＴＶ装置１、ＰＣ２）のリソースの有効活用を図り、かつ、利便性を向上させることが実現される。
【００５６】
なお、各実施形態の動作制御処理は、ソフトウェア（プログラム）によって実現することができるので、このソフトウェアを格納したコンピュータ読み取り可能な記憶媒体を通じてこのソフトウェアを通常のコンピュータにインストールして実行することにより、各実施形態と同様の効果を容易に実現することができる。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５８】
１…ＴＶ装置、１Ａ…リモートコントローラ、２…ＰＣ、１１…ＢＤ／ＤＶＤドライブ、１２…ＢＤ／ＤＶＤプレーヤ、１３…ＢＤ／ＤＶＤリモート再生モジュール、２１…ＢＤ／ＤＶＤドライブ、２２…キーボード（ポインティングデバイス）、１２１…データ読み込み部、１２２…ソース入力部、１２３…デコーダ、１２４…レンダラ、１２５…ユーザインタフェース部、２００…ＤＶＤリモート再生アプリケーション、２０１…データ読み込み部、２０２…キー操作変換部、２０３…データ転送部、２１０…ＢＤ／ＤＶＤリモートアクセスユーティリティ、２１１…データ読み込み部、２１２…データ転送部。
【図１】
2014007704.tif 000003
【図２】
2014007704.tif 000004
【図３】
2014007704.tif 000005
【図４】
2014007704.tif 000006
【図５】
2014007704.tif 000007
【図６】
2014007704.tif 000008
【図７】
2014007704.tif 000009